(57)【要約】【課題】シリアルデータ通信が電波の受信感度に悪影響を及ぼすことを防止する電子機器及び周波数設定プログラムを提供する。【解決手段】プロセッサユニットが、パラレルデータのクロック周波数を５．５ＭＨｚに設定し、Ｔｘ高速シリアルデバイス１２２が、パラレルデータのクロック周波数をパラレルデータのビット数１８で乗じたクロック周波数９９ＭＨｚにより、パラレルデータをシリアルデータに変換し、ＰＬＬ２０２が、シリアルデータのクロック周波数を６ＭＨｚに設定し、Ｒｘ高速シリアルデバイス１５１が、６ＭＨｚに設定されたクロック周波数により、受信したシリアルデータをパラレルデータに変換し、プロセッサユニットは、シリアルデータのクロック周波数９９ＭＨｚの整数倍が、所定の周波数範囲以内に含まれないように設定する。【選択図】図３
2009055566.tif 000002
【特許請求の範囲】
【請求項１】
電波を受信する受信手段と、
パラレルデータを生成する生成手段と、
前記パラレルデータのクロック周波数を第１の値に設定する第１の設定手段と、
前記パラレルデータのクロック周波数を前記パラレルデータのビット数と同じ数で乗じて得られたクロック周波数により、前記パラレルデータをシリアルデータに変換する第１の変換手段と、
前記シリアルデータのクロック周波数を第２の値に設定する第２の設定手段と、
前記第２の値に設定されたクロック周波数により、受信した前記シリアルデータをパラレルデータに変換する第２の変換手段と、を備え、
前記第１の設定手段は、
前記シリアルデータのクロック周波数の整数倍が、所定の周波数範囲以内に含まれないように前記第１の値を設定することを特徴とする電子機器。
【請求項２】
受信した前記パラレルデータに基づく画像を表示する表示手段を備え、
前記第２の値が、前記表示手段の動作周波数範囲内である請求項１記載の電子機器。
【請求項３】
前記第１の設定手段は、
前記パラレルデータのビット数をＮ、前記所定の周波数範囲をＭ１以上、Ｍ２以下とした場合に、（ｎ−１）×Ｎ×Ｃ＜Ｍ１、及び、ｎ×Ｎ×Ｃ＞Ｍ２を満たす自然数ｎを有するクロック周波数Ｃを前記第１の値として設定する請求項１又は２に記載の電子機器。
【請求項４】
コンピュータを、
電波を受信する受信手段、
パラレルデータを生成する生成手段、
前記パラレルデータのクロック周波数を第１の値に設定する第１の設定手段、
前記パラレルデータのクロック周波数を前記パラレルデータのビット数と同じ数で乗じて得られたクロック周波数により、前記パラレルデータをシリアルデータに変換する第１の変換手段、
前記シリアルデータのクロック周波数を第２の値に設定する第２の設定手段、及び、
前記第２の値に設定されたクロック周波数により、受信した前記シリアルデータをパラレルデータに変換する第２の変換手段として機能させ、
前記第１の設定手段は、
前記シリアルデータのクロック周波数の整数倍が、所定の周波数範囲以内に含まれないように前記第１の値を設定する周波数設定プログラム。
【請求項５】
所定の周波数が各チャンネルに割り当てられているデジタルテレビジョンの放送データを受信する受信手段と、
パラレルデータを生成する生成手段と、
前記パラレルデータのクロック周波数を、受信しているチャンネルに基づいた第１の値に設定する第１の設定手段と、
前記パラレルデータのクロック周波数を前記パラレルデータのビット数と同じ数で乗じて得られたクロック周波数により、前記パラレルデータをシリアルデータに変換する第１の変換手段と、
前記シリアルデータのクロック周波数を、受信しているチャンネルに基づいた第２の値に設定する第２の設定手段と、
前記第２の値に設定されたクロック周波数により、受信した前記シリアルデータをパラレルデータに変換する第２の変換手段と、を備え、
前記第１の設定手段は、
前記シリアルデータのクロック周波数の整数倍が、前記所定の周波数を中心とした所定範囲以内に含まれないように前記第１の値を設定することを特徴とする電子機器。
【請求項６】
受信した前記パラレルデータに基づく画像を表示する表示手段を備え、
前記第２の値が、前記表示手段の動作周波数範囲内である請求項５記載の電子機器。
【請求項７】
前記第１の設定手段は、
前記パラレルデータのビット数をＮ、前記所定の周波数範囲をＭ１以上、Ｍ２以下とした場合に、（ｎ−１）×Ｎ×Ｃ＜Ｍ１、及び、ｎ×Ｎ×Ｃ＞Ｍ２を満たす自然数ｎを有するクロック周波数Ｃを前記第１の値として設定する請求項５又は６に記載の電子機器。
【請求項８】
前記Ｍ１が、
前記受信しているチャンネルに割り当てられた中心周波数のマイナス０．５％の値であり、
前記Ｍ２が、
前記受信しているチャンネルに割り当てられた中心周波数のプラス０．５％の値である、請求項７記載の電子機器。
【請求項９】
コンピュータを、
所定の周波数が各チャンネルに割り当てられているデジタルテレビジョンの放送データを受信する受信手段、
パラレルデータを生成する生成手段、
前記パラレルデータのクロック周波数を、受信しているチャンネルに基づいた第１の値に設定する第１の設定手段、
前記パラレルデータのクロック周波数を前記パラレルデータのビット数と同じ数で乗じて得られたクロック周波数により、前記パラレルデータをシリアルデータに変換する第１の変換手段、
前記シリアルデータのクロック周波数を、受信しているチャンネルに基づいた第２の値に設定する第２の設定手段、及び、
前記第２の値に設定されたクロック周波数により、受信した前記シリアルデータをパラレルデータに変換する第２の変換手段として機能させ、
前記第１の設定手段は、
前記シリアルデータのクロック周波数の整数倍が、前記所定の周波数を中心とした所定範囲以内に含まれないように前記第１の値を設定する周波数設定プログラム。
【発明の詳細な説明】
【技術分野】
【０００１】
本発明は、シリアルデータを用いたデータ通信を行う電子機器及び周波数設定プログラムに関する。
【背景技術】
【０００２】
携帯電話端末などの電子機器では、プロセッサユニットからＬＣＤ（Ｌｉｑｕｉｄ  Ｃｒｙｓｔａｌ  Ｄｉｓｐｌａｙ）モジュールに対するデータ通信に、高速シリアルデータ通信を用いることが頻繁に行なわれる。これは、主として電子機器における信号線数の削減やノイズ低減を目的として行われる。
【０００３】
図５に、従来の携帯電話端末における表示インタフェースの一例を示す。
【０００４】
図５に示す表示インタフェースを持つ携帯電話端末は、プロセッサユニット６１とＬＣＤモジュール６３との間が、送信側高速シリアルデバイス６２（以下、Ｔｘ高速シリアルデバイス６２という）、受信側高速シリアルデバイス６４（以下、Ｒｘ高速シリアルデバイス６４という）を用いて、高速シリアル通信路６５により結線される。
【０００５】
すなわち、プロセッサユニット６１により生成される表示データ（パラレルデータ）は、Ｔｘ高速シリアルデバイス６２によりシリアルデータに変換され、高速シリアル通信路６５を介して伝送される。そして、高速シリアル通信路６５を介して伝送されるシリアルデータは、Ｒｘ高速シリアルデバイス６４によりパラレルデータに変換され、ＬＣＤモジュール６３に伝送される。
【０００６】
そして、ＬＣＤモジュール６３は、伝送されたパラレルデータにより、所望の表示を得る構成になっている（例えば、特許文献１参照）。
【特許文献１】特開２００６−２１０９９２号公報
【発明の開示】
【発明が解決しようとする課題】
【０００７】
上記構成において、図６に示されるように、例えば、６ＭＨｚのクロック周波数で伝送される１８ビットのパラレルデータをシリアルデータとして伝送する場合、Ｔｘ高速シリアルデバイス６２は、６ＭＨｚのクロックを１８逓倍した１０８ＭＨｚのクロックでシリアルデータ通信を行なう必要がある。そして、Ｒｘ高速シリアルデバイス６４は、受信したシリアルデータを１８分周して、クロック周波数が６ＭＨｚの元のパラレルデータに戻す。
【０００８】
すなわち、１８ビットのパラレルデータをシリアルデータとして通信する場合、パラレルデータにおけるクロック周波数に対して１８倍の通信速度が必要となる。そして、パラレルデータのクロック周波数がプロセッサユニットやＬＣＤの仕様（処理速度）に依存するため、この通信速度もプロセッサユニットやＬＣＤの仕様（処理速度）に依存する。
【０００９】
従来技術では、プロセッサユニットやＬＣＤの仕様（処理速度）の変更は容易ではないため、高速シリアルデータの通信速度を変更することは容易ではなかった。
【００１０】
すなわち、例えば、ＬＣＤモジュールのＬＣＤパネルにセラミックコンデンサが実装される場合があるが、このセラミックコンデンサは、所定の周波数の場合、圧電効果による音鳴りが発生する場合がある。そのため、ＬＣＤモジュール側に入力する信号の周波数はできる限り一定であることが望ましい。
【００１１】
その結果、従来技術において、例えば、ＣＤＭＡ（Ｃｏｄｅ  Ｄｉｖｉｓｉｏｎ  Ｍｕｌｔｉｐｌｅ  Ａｃｃｅｓｓ）受信帯域８４３ＭＨｚ〜８７０ＭＨｚのそれぞれの周波数に対して高速シリアルデータ通信の高調波が悪影響を及ぼさないように、高速シリアルデータの通信速度を変更することは非常に困難である。上記の例では基本周波数１０８ＭＨｚの８倍高調波の８６４ＭＨｚ帯域が、ＣＤＭＡ受信帯域８４３ＭＨｚ〜８７０ＭＨｚの範囲内となり、その受信感度に悪影響を及ぼすことが知られている。
【００１２】
一方、地上デジタルテレビジョン放送が受信可能な携帯電話端末などの電子機器が市場に出現しているが、デジタルテレビジョン放送の場合、複数あるチャンネル毎に受信周波数が異なり、このため、チャンネル毎に、受信感度に悪影響を与えないようにシリアルデータ通信の周波数を設定することは困難である。
【００１３】
本発明は上記した課題を解決するためになされたものであり、シリアルデータ通信が電波の受信感度に悪影響を及ぼすことを防止する電子機器及び周波数設定プログラムを提供することを目的とする。
【課題を解決するための手段】
【００１４】
上記目的を達成するため、本発明の電子機器は、電波を受信する受信手段と、パラレルデータを生成する生成手段と、前記パラレルデータのクロック周波数を第１の値に設定する第１の設定手段と、前記パラレルデータのクロック周波数を前記パラレルデータのビット数と同じ数で乗じて得られたクロック周波数により、前記パラレルデータをシリアルデータに変換する第１の変換手段と、前記シリアルデータのクロック周波数を第２の値に設定する第２の設定手段と、前記第２の値に設定されたクロック周波数により、受信した前記シリアルデータをパラレルデータに変換する第２の変換手段と、を備え、前記第１の設定手段は、前記シリアルデータのクロック周波数の整数倍が、所定の周波数範囲以内に含まれないように前記第１の値を設定することを特徴とする。
【００１５】
また、本発明の電子機器は、受信した前記パラレルデータに基づく画像を表示する表示手段を備え、前記第２の値が、前記表示手段の動作周波数範囲内である。
【００１６】
また、本発明の電子機器は、前記第１の設定手段は、前記パラレルデータのビット数をＮ、前記所定の周波数範囲をＭ１以上、Ｍ２以下とした場合に、（ｎ−１）×Ｎ×Ｃ＜Ｍ１、及び、ｎ×Ｎ×Ｃ＞Ｍ２を満たす自然数ｎを有するクロック周波数Ｃを前記第１の値として設定する。
【００１７】
また、本発明の周波数設定プログラムは、コンピュータを、電波を受信する受信手段、
パラレルデータを生成する生成手段、前記パラレルデータのクロック周波数を第１の値に設定する第１の設定手段、前記パラレルデータのクロック周波数を前記パラレルデータのビット数と同じ数で乗じて得られたクロック周波数により、前記パラレルデータをシリアルデータに変換する第１の変換手段、前記シリアルデータのクロック周波数を第２の値に設定する第２の設定手段、及び、前記第２の値に設定されたクロック周波数により、受信した前記シリアルデータをパラレルデータに変換する第２の変換手段として機能させ、前記第１の設定手段は、前記シリアルデータのクロック周波数の整数倍が、所定の周波数範囲以内に含まれないように前記第１の値を設定する。
【００１８】
また、本発明の電子機器は、所定の周波数が各チャンネルに割り当てられているデジタルテレビジョンの放送データを受信する受信手段と、パラレルデータを生成する生成手段と、前記パラレルデータのクロック周波数を、受信しているチャンネルに基づいた第１の値に設定する第１の設定手段と、前記パラレルデータのクロック周波数を前記パラレルデータのビット数と同じ数で乗じて得られたクロック周波数により、前記パラレルデータをシリアルデータに変換する第１の変換手段と、前記シリアルデータのクロック周波数を、受信しているチャンネルに基づいた第２の値に設定する第２の設定手段と、前記第２の値に設定されたクロック周波数により、受信した前記シリアルデータをパラレルデータに変換する第２の変換手段と、を備え、前記第１の設定手段は、前記シリアルデータのクロック周波数の整数倍が、前記所定の周波数を中心とした所定範囲以内に含まれないように前記第１の値を設定することを特徴とする。
【００１９】
また、本発明の電子機器は、受信した前記パラレルデータに基づく画像を表示する表示手段を備え、前記第２の値が、前記表示手段の動作周波数範囲内である。
【００２０】
また、本発明の電子機器は、前記第１の設定手段は、前記パラレルデータのビット数をＮ、前記所定の周波数範囲をＭ１以上、Ｍ２以下とした場合に、（ｎ−１）×Ｎ×Ｃ＜Ｍ１、及び、ｎ×Ｎ×Ｃ＞Ｍ２を満たす自然数ｎを有するクロック周波数Ｃを前記第１の値として設定する。
【００２１】
また、本発明の電子機器は、前記Ｍ１が、前記受信しているチャンネルに割り当てられた中心周波数のマイナス０．５％の値であり、前記Ｍ２が、前記受信しているチャンネルに割り当てられた中心周波数のプラス０．５％の値である。
【００２２】
また、本発明の周波数設定プログラムは、コンピュータを、所定の周波数が各チャンネルに割り当てられているデジタルテレビジョンの放送データを受信する受信手段、パラレルデータを生成する生成手段、前記パラレルデータのクロック周波数を、受信しているチャンネルに基づいた第１の値に設定する第１の設定手段、前記パラレルデータのクロック周波数を前記パラレルデータのビット数と同じ数で乗じて得られたクロック周波数により、前記パラレルデータをシリアルデータに変換する第１の変換手段、前記シリアルデータのクロック周波数を、受信しているチャンネルに基づいた第２の値に設定する第２の設定手段、及び、前記第２の値に設定されたクロック周波数により、受信した前記シリアルデータをパラレルデータに変換する第２の変換手段として機能させ、前記第１の設定手段は、前記シリアルデータのクロック周波数の整数倍が、前記所定の周波数を中心とした所定範囲以内に含まれないように前記第１の値を設定する。
【発明の効果】
【００２３】
本発明によれば、シリアルデータのクロック周波数の整数倍が、受信する電波の周波数範囲以内又はその近傍範囲に含まれないため、シリアルデータ通信が電波の受信感度に悪影響を及ぼすことを防止することができる。
【発明を実施するための最良の形態】
【００２４】
以下、本発明に係る電子機器及び周波数設定プログラムの実施形態について、図面を参照して説明する。図１は、本発明の実施の形態に係る電子機器の内部構成を示すブロック図である。ここでは、電子機器の一例として携帯電話端末が示されている。なお、以下の本発明の実施の形態に係る電子機器の説明は、本発明の周波数設定プログラムの一実施形態の説明を兼ねる。
【００２５】
図１に示されるように携帯電話端末は、通信部１１と、制御部１２と、記憶部１３と、音声処理部１４と、表示部１５と、操作部１６とにより構成される。
【００２６】
通信部１１は、不図示の基地局のいずれかによって割り当てられるチャネルを用いて当該基地局との間で通信回線を介して無線信号の送受信を行う。ここでは、所定の周波数範囲の電波を受信する受信手段としての機能を持つ。
【００２７】
制御部１２は、例えば、表示部１５が表示する画像データ（パラレルデータ）を生成する機能を司る他、接続される音声処理部１４、表示部１５、操作部１６を、記憶部１３に格納されたプログラムに基づき制御する。
【００２８】
記憶部１３には、制御部１２が実行するプログラムや、当該プログラムが参照するテーブル、あるいは作業領域として使用するデータのそれぞれが格納される記憶領域が割り付けられ、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００２９】
したがって、本発明の周波数設定プログラムは、制御部１２が、記憶部１３に格納されたプログラムと協働することにより実現される。
【００３０】
音声処理部１４は、スピーカ（ＳＰ）から出力される音声信号やマイクロフォン（以下、マイクという：ＭＩＣ）を介して入力される音声信号の処理を行う。
【００３１】
すなわち、音声処理部１４は、マイクから入力される音声を増幅し、アナログ／デジタル変換を行い、更に符号化等の信号処理を施し、デジタルの音声データに変換して制御部１２に出力する。
【００３２】
また、音声処理部１４は、制御部１２から供給される音声データに復号化、デジタル／アナログ変換、増幅等の信号処理を施し、アナログの音声信号に変換してスピーカに出力する。
【００３３】
表示部１５は、例えば、ＬＣＤパネルを用いて構成されており、制御部１２から供給される映像信号に応じた画像を表示する。表示部１５のＬＣＤパネルは、ＬＣＤパネルのコントローラと共にＬＣＤモジュールを構成する。なお、表示部１５として、有機ＥＬ（Ｅｌｅｃｔｒｏ−Ｌｕｍｉｎｅｓｃｅｎｃｅ）パネルなどのその他の表示デバイスを用いることもできる。
【００３４】
表示部１５は、制御部１２により生成される表示情報を映像信号に変換して表示する。表示部１５は、例えば、携帯電話端末の発信時における発信先の電話番号、着信時における着信相手の電話番号、受信メールや送信メールの内容、日付、時刻、アンテナレベル、バッテリ残量等のピクト、発信成否、待ち受け画面などの各種の情報や画像を表示する。
【００３５】
表示部１５には、ＬＣＤパネルを制御するコントローラを備えたＬＣＤモジュールが実装される。
【００３６】
操作部１６は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１２に入力する。
【００３７】
図２は、図１に示す制御部１２と表示部１５における実装回路部品構成とそれらの接続関係を示す図である。
【００３８】
図２において、制御部１２は、プロセッサユニット１２１と、Ｔｘ高速シリアルデバイス１２２とにより構成される。表示部１５は、Ｒｘ高速シリアルデバイス１５１とＬＣＤモジュール１５２とにより構成される。制御部１２と表示部１５とは、高速シリアル通信路１００を介して接続される。
【００３９】
プロセッサユニット１２１は、画像データ等のパラレルデータを生成する。また、プロセッサユニット１２１は、出力するパラレルデータの画像データのクロック周波数を所定の値に設定するクロック設定ユニット１２３を備える。このクロック設定ユニット１２３は、例えばＰＬＬなどにより構成されれている。
【００４０】
また、Ｔｘ高速シリアルデバイス１２２は、プロセッサユニット１２１により生成されたパラレルデータをシリアルデータに変換する。
【００４１】
このとき、プロセッサユニット１２１のクロック設定ユニット１２３は、Ｔｘ高速シリアルデバイス１２２から出力されるシリアルデータのクロック周波数の整数倍が、所定の周波数範囲以内、又は所定の周波数の近傍範囲に含まれないように、パラレルデータのクロック周波数を制御する。この制御についての詳細は後述する。ここで、周波数の近傍範囲とは、おおよそ、着目している周波数のプラスマイナス１％の範囲をいい、より好ましくは、着目している周波数のプラスマイナス０．５％の範囲をいう。
【００４２】
プロセッサユニット１２１により生成される画像データは、Ｔｘ高速シリアルデバイス１２２によりシリアルデータに変換される。Ｔｘ高速シリアルデバイス１２２は、パラレルデータのビット数と同じ数でクロック周波数を乗じて、このクロック周波数によりパラレルデータをシリアルデータに変換する。
【００４３】
すなわち、Ｔｘ高速シリアルデバイス１２２は、変換前のパラレルデータと変換後のシリアルデータとで、単位時間当りのデータ通信速度が等しくなるように、パラレルデータのビット数と同じ数でパラレルデータのクロック周波数を乗じた値でシリアルデータのクロック周波数を設定する。
【００４４】
ここで、本発明にいうパラレルデータには、ＬＣＤモジュールにおいて画像を表示するための画像データのみではなく、その他に、パリティビットなどのエラーを検知するためのデータその他の適宜なデータを含ませることができる。
【００４５】
なお、Ｔｘ高速シリアルデバイス１２２は、位相同期回路（Ｐｈａｓｅ−ｌｏｃｋｅｄ  ｌｏｏｐ、以下単にＰＬＬともいう。）を用いてパラレルデータのクロック周波数を逓倍する。
【００４６】
高速シリアル通信路１００を介して伝送されるシリアルデータは、表示部１５内のＲｘ高速シリアルデバイス１５１に出力される。
【００４７】
プロセッサユニット１２１により生成される画像データは、Ｔｘ高速シリアルデバイス１２２においてシリアルデータに変換され、高速シリアル通信路１００、Ｒｘ高速シリアルデバイス１５１を介してＬＣＤモジュール１５２に伝送される。ＬＣＤモジュール１５２は、ＬＣＤパネルとＬＣＤコントローラとが一体となったモジュールである。
【００４８】
Ｒｘ高速シリアルデバイス１５１にてパラレルデータに変換された画像データは、ＬＣＤモジュール１５２が内蔵する不図示の画像メモリに格納され、ここで、所望の表示を得ることができる。
【００４９】
以下、本発明の電子機器について、実施の形態毎にその構成動作を詳細に説明する。
【００５０】
（第１の実施形態）
図３は、本発明の第１の実施形態に係る電子機器の動作を示す動作概念図である。なお、図３において、図２に示すブロックと同じ番号が付されたブロックは図２に示すブロックと同じ名称、機能を持つブロックとする。
【００５１】
図３に示す本発明の第１の実施形態に係る電子機器では、例えば、１８ビットのパラレルデータ（Ａ０〜Ａ１７、Ｂ０〜Ｂ１７、Ｃ０〜Ｃ１７）を伝送する場合、プロセッサユニット１２１は、パラレルデータのクロック周波数を５．５ＭＨｚに設定してパラレルデータを出力する。
【００５２】
ただし、この５．５ＭＨｚという数値は、後述するように本実施形態において、受信に悪影響を及ぼさないために設定するものであり、５．５ＭＨｚという数値に本発明が限定されるものではなく、受信に悪影響を及ぼさない数値であれば、５．５ＭＨｚ以外のほかの数値であっても良い。
【００５３】
そして、５．５ＭＨｚのパラレルデータを受信したＴｘ高速シリアルデバイス１２２は、入力した５．５ＭＨｚのクロック周波数をＰＬＬ２０１により１８逓倍し、９９ＭＨｚのクロック周波数とする。
【００５４】
そして、Ｔｘ高速シリアルデバイス１２２は、パラレルデータをシリアルデータ（Ｃ０、Ｂ１７、…、Ｂ２、Ｂ１、Ｂ０、Ａ１７…）に変換し、高速シリアル通信路１００を介してシリアルデータ通信を行なう。このとき、５．５ＭＨｚのパラレルデータは、９９ＭＨｚのシリアルデータとして送信される。
【００５５】
ここで、本発明にいうパラレルデータには、ＬＣＤモジュールにおいて画像を表示するための画像データのみではなく、その他に、パリティビットなどのエラーを検知するためのデータその他の適宜なデータを含ませることができる点は、上述したとおりである。
【００５６】
また、本実施の形態では、パラレルデータのビット数を１８としているが、本発明はパラレルデータのビット数が１８である場合に限定されるものではなく、１８以外の任意の数であって良い。
【００５７】
図３中、受信側のＲｘ高速シリアルデバイス１５１のＰＬＬ２０２は、受信した９９ＭＨｚのクロック周波数を２逓倍すると共に３３分周することにより、９９ＭＨｚのクロック周波数を６ＭＨｚのクロック周波数に戻す。さらに、Ｒｘ高速デバイス１５１は、受信したシリアルデータを、６ＭＨｚのクロック周波数により、１８ビットのパラレルデータにして、不図示のＬＣＤモジュール１５２に供給する。
【００５８】
ここで、図３において、Ｐｒｏｃｅｓｓｏｒ  ｓｐｅｃの送信周波数が６ＭＨｚ以下となっているのは、プロセッサユニットの送信周波数として可能な周波数が６ＭＨｚ以下であることを示し、ＬＣＤ  Ｍｏｄｕｌｅ（ＬＣＤ  Ｐａｎｅｌ）ｓｐｅｃの受信周波数が６ＭＨｚ以上となっているのは、ＬＣＤモジュールの受信可能な周波数が６ＭＨｚ以上であることを示している。
【００５９】
このように、Ｒｘ高速シリアルデバイス１５１は、９９ＭＨｚのクロック周波数によるシリアルデータを、６ＭＨｚのクロック周波数、１８ビットのパラレルデータにしてＬＣＤモジュール１５２に出力する。
【００６０】
上記したクロック周波数の逓倍および分周は、Ｔｘ高速シリアルデバイス１２２が内蔵するＰＬＬ２０１、Ｒｘ高速シリアルデバイス１５１が内蔵するＰＬＬ２０２が行なう。
【００６１】
本実施形態では、パラレルデータを出力するプロセッサユニット１２１が、出力されるパラレルデータのクロック周波数を、受信に悪影響を及ぼさない数値に設定することにより、Ｔｘ高速シリアルデバイス１２２が出力するシリアルデータのデータ通信のクロック周波数を変更し、このシリアルデータの周波数の整数倍を、重複を回避すべき周波数帯域、例えば、ＣＤＭＡ受信帯域から外すことが可能となる。
【００６２】
ここで、プロセッサユニット１２１によるクロック周波数の設定について説明する。
【００６３】
プロセッサユニット１２１のクロック設定ユニット１２３は、パラレルデータのビット数をＮ、回避する周波数帯域をＭ１以上、Ｍ２以下とした場合に、以下の条件式（１）及び（２）を満たす自然数ｎを有するクロック周波数ＣをＴｘ高速シリアルデバイス１２２に出力するパラレルデータのクロック周波数として設定する。
【００６４】
（ｎ−１）×Ｎ×Ｃ＜Ｍ１  …（１）
ｎ×Ｎ×Ｃ＞Ｍ２          …（２）
上記した本発明の第１の実施形態に係る電子機器によれば、プロセッサユニット１２１が、シリアルデータによるデータ通信の場合に、シリアルデータのクロック周波数の整数倍が、通信部１１で受信可能な所定の周波数範囲以内に含まれないようにパラレルデータのクロック周波数を制御する。これにより、シリアルデータのクロック周波数の整数倍を、重複を回避すべき周波数帯域、例えば、高周波をＣＤＭＡ受信帯域から外すことができる。
【００６５】
例えば、図３に示される例において、ＣＤＭＡの場合、基本周波数９９ＭＨｚの８倍の高調波は７９２ＭＨｚ、９倍高調波は８９１ＭＨｚとなり、ＣＤＭＡ受信帯域（８４３ＭＨｚ〜８７０ＭＨｚ）の周波数帯域から外すことができ、したがって、シリアル高速データ通信が電波の受信感度に悪影響を及ぼすことを軽減する対策を施すことができる。
【００６６】
（第２の実施形態）
図４は、本発明の第２の実施形態に係る電子機器の動作を示す動作概念図である。なお、図４において、図２、図３に示すブロックと同じ番号が付されたブロックは図２、図３、に示すブロックと同じ名称、機能を持つブロックとする。
【００６７】
図４に示す本発明の第２の実施形態に係る電子機器は、電子機器として、地上波デジタル放送を受信可能な携帯電話端末が例示されている。このため、携帯電話端末が標準で持つ構成に、更に、地上波デシタル放送を受信するチューナであるＤＴＶ受信機１６１が付加されている。
【００６８】
図４に示す本発明の第２の実施形態に係る電子機器において、図３に示す第１の実施形態との差異は、プロセッサユニット３２１のクロック設定ユニット３２３が、現在受信している地上デジタル放送テレビジョンの受信チャンネルに基づいてパラレルデータのクロック周波数を変換すると共に、Ｒｘ高速シリアルデバイス３５１のＰＬＬ３０１の倍数（分周数）を、受信チャンネルに合せて変更している点であり、他の点は同様である。
【００６９】
地上デジタルテレビジョン放送の場合、１３チャンネルから６２チャンネルまでの各チャンネルにそれぞれ異なる周波数が割当てられており、例えば、１３チャンネルは、中心周波数４７３．１４２８５７、下限周波数４７２．９２８５７１、上限周波数４７３．３５７１４３ＭＨｚと規定されている。
【００７０】
プロセッサユニット３２１は、操作部１５３から入力された受信した放送チャンネルに基づいて、出力するパラレルデータのクロック周波数を設定すると共に、Ｒｘ高速シリアルデバイス３５１のＰＬＬの倍数を設定する制御を行う。
【００７１】
クロック設定ユニット３２３によるクロック周波数の設定は、一般には、パラレルデータのビット数をＮ、回避する周波数帯域をＭ１以上、Ｍ２以下とした場合に、以下の条件式（３）及び（４）を満たす自然数ｎを有するクロック周波数ＣをＴｘ高速シリアルデバイス１２２に出力するパラレルデータのクロック周波数として設定することにより行われる。
【００７２】
なお、本実施形態では、回避する周波数帯域、Ｍ１、Ｍ２として、例えば、チャンネルの中心周波数Ｍｍのマイナス０．５％をＭ１、プラス０．５％をＭ２とする。
【００７３】
（ｎ−１）×Ｎ×Ｃ＜Ｍ１  …（３）
ｎ×Ｎ×Ｃ＞Ｍ２          …（４）
例えば、受信しているチャンネルが２４で、パラレルデータのビット数が１８の場合を考える。チャンネル２４では、中心周波数５３９．１４２８５７ＭＨｚ、下限周波数５３８．９２８５７１ＭＨｚ、上限周波数５３９．３５７１４３ＭＨｚと規定されている。この場合、上記のＭ２は、５４１．８３８５７１２８５ＭＨｚ、Ｍ１は、５３６．４４７１４２７１５ＭＨｚとなる。なお、チャンネルの下限周波数及び上限周波数よりも、Ｍ１及びＭ２による回避周波数の範囲が広いのは、受信電波に対するシリアルデータの影響をより軽減するためである。
【００７４】
そのため、パラレルデータのクロック周波数を６ＭＨｚとして、これをクロック周波数１０８ＭＨｚのシリアルデータとすると、この５倍の高調波である５４０ＭＨｚが、Ｍ１以上、Ｍ２以下となり、チャンネル２４の中心周波数に近いため（プラスマイナス０．５％以内）、チャンネル２４の受信に悪影響を及ぼす場合がある。
【００７５】
そのため、この場合、プロセッサユニット３２１は、パラレルデータのクロック周波数を５．５ＭＨｚに設定する。そして、プロセッサユニット３２１は、Ｒｘ高速シリアルデバイス３５１のＰＬＬ３０１の倍数を、２倍すると共に３３分周するように設定し、クロック周波数を６ＭＨｚに戻す。
【００７６】
クロック周波数が５．５ＭＨｚの場合、シリアルデータのクロック周波数が９９ＭＨｚであるため、５倍高調波が４９５ＭＨｚ、６倍高調波が５９４ＭＨｚであるため、それぞれ、チャンネル２４の中心周波数から離れ（１％以上離れている）、Ｍ１以上、Ｍ２以下の範囲に入っていないため、シリアルデータの通信がチャンネル２４の受信に悪影響を及ぼすことが軽減される。
【００７７】
次に、例えば、受信しているチャンネルが３３で、パラレルデータのビット数が１８の場合を考える。チャンネルが３３では、中心周波数５９３．１４２８５７ＭＨｚ、下限周波数５９２．９２８５７１ＭＨｚ、上限周波数５９３．３５７１４３ＭＨｚと規定されている。この場合、上記のＭ２は、５９６．１０８５７１２８５ＭＨｚ、Ｍ１は、５９０．１７７１４２７１５ＭＨｚとなる。
【００７８】
そのため、パラレルデータのクロック周波数を５．５ＭＨｚとして、これをクロック周波数９９ＭＨｚのシリアルデータとすると、この６倍の高調波である５９４ＭＨｚが、Ｍ１以上、Ｍ２以下の範囲に入り、チャンネル３３の中心周波数に近い（プラスマイナス０．５％以内）ため、チャンネル３３の受信に悪影響を及ぼす場合がある。
【００７９】
そのため、この場合、プロセッサユニット３２１は、パラレルデータのクロック周波数を６ＭＨｚに設定する。そして、プロセッサユニット３２１は、Ｒｘ高速シリアルデバイス１５１のＰＬＬの倍数を、１８分周するように設定し、受信したシリアルデータのクロック周波数を６ＭＨｚに戻す。
【００８０】
クロック周波数が６ＭＨｚの場合、シリアルデータのクロック周波数が１０８ＭＨｚであるため、５倍高調波が５４０ＭＨｚ、６倍高調波が６４８ＭＨｚであるため、それぞれ、チャンネル３３の中心周波数から離れ（１％以上離れている）、Ｍ１以上、Ｍ２以下の範囲に入っていないため、シリアルデータの通信がチャンネル３３の受信に悪影響を及ぼすことが軽減される。
【００８１】
このように、Ｔｘ高速シリアルデバイス１２２は、受信したパラレルデータをシリアルデータに変換する。この際の変換後のシリアルデータの周波数は、受信している地上波デシタル放送の受信に影響を与えない数値とする。
【００８２】
上記した本発明の第２の実施形態に係る電子機器によれば、制御部１２（プロセッサユニット１２１）が、通信部１１が受信した放送データのチャンネルの周波数範囲に基づいて、出力するパラレルデータのクロック周波数を変更すると共に、受信側のＲｘ高速シリアルデバイス３５１の分周の倍数を設定する。
【００８３】
ここで、変更後のパラレルデータのクロック周波数は、高速シリアルデバイスＴｘ１２２によりシリアルデータに変換された際に、受信している地上波デジタル放送の影響を与えないような値である。
【００８４】
すなわち、プロセッサ１２１が出力するパラレルデータは、Ｔｘ高速シリアルデバイス１２２によりシリアルデータに変換された後に、シリアルデータのクロック周波数の整数倍が、通信部１１で受信可能な所定の周波数帯域の近傍範囲にならないように制御することで、データ通信の周波数（速度）を上げ、回避すべき周波数帯域、例えば、地上デジタルテレビジョン放送のチャンネルの周波数帯域の近傍範囲から外すことができ、したがって、シリアル高速データ通信が地上デジタルテレビジョン放送の電波の受信感度に悪影響を及ぼすことを軽減することができる。
【００８５】
上記した本発明の第２の実施形態に係る電子機器によれば、受信している地上波デジタル放送の受信感度に悪影響を与えないように、パラレルデータをシリアルデータに変換することができ、良好な受信感度が得られる。
【００８６】
また、高調波周波数が受信帯域近傍に入り、悪影響を及ぼしていた場合を考慮して実装されていたノイズ対策部品を削除することができ、コスト低減にも寄与する。
【００８７】
ここで、上記本発明の第２の実施形態によれば、地上波デジタル放送を受信するとしたが、本発明は地上波デジタル放送の受信に限定されるものではなく、各チャンネル（各選択局）に周波数が割り当てられた受信電波であれば、地上波デジタル放送に限定されずに本発明を適用することができる。
【００８８】
なお、上記した本発明の第１の実施形態及び第２の実施形態の電子機器によれば、制御部１２が内蔵するプロセッサユニット１２１，３２１と、Ｔｘ高速シリアルデバイス１２２とを独立した別のデバイスとして区別して説明したが、プロセッサユニット１２１，３２１にＴｘ高速シリアルデバイス１２２が持つ機能を組み込むことで、プロセッサユニット１２１，３２１単体としての動作も可能である。また、ＬＣＤモジュール１５２にＲｘ高速シリアルデバイス１５１，３５１が持つ機能を組み込むことで、ＬＣＤモジュール１５２単体としての動作も可能である。
【００８９】
また、上記した本発明の第１の実施形態及び第２の実施形態によれば、いずれも本発明の電子機器を携帯電話端末に適用する場合のみ例示したが、携帯電話端末に限らず、パソコン、ＰＤＡ（Ｐｅｒｓｏｎａｌ  Ｄｉｇｉｔａｌ  Ａｓｓｉｓｔａｎｔｓ）、ゲーム機等にも同様に適用が可能である。
【図面の簡単な説明】
【００９０】
【図１】本発明の実施の形態に係る電子機器の内部構成を示すブロック図である。
【図２】図１に示す制御部と表示部の接続関係を示すブロック図である。
【図３】本発明の第１の実施形態に係る電子機器の動作を模式的に示した動作概念図である。
【図４】本発明の第２の実施形態に係る電子機器の動作を示すブロック図である。
【図５】従来の電子機器（携帯電話端末）における動作例を示すブロック図である。
【図６】図５の動作を模式的に示した動作概念図である。
【符号の説明】
【００９１】
１１  通信部（受信手段）
１２  制御部
１３  記憶部
１４  音声処理部
１５  表示部
１６  操作部
１００  高速シリアル通信路
１２１  プロセッサユニット（生成手段）
１２２  Ｔｘ高速シリアルデバイス（第１の変換手段）
１２３  クロック設定ユニット（第１の設定手段）
１５１  Ｒｘ高速シリアルデバイス（第２の変換手段）
１５２  ＬＣＤモジュール（表示手段）
１６１  ＤＴＶ受信機（受信手段）
２０１  位相同期回路（Ｐｈａｓｅ−ｌｏｃｋｅｄ  ｌｏｏｐ、ＰＬＬ）
２０２，３０１  位相同期回路（Ｐｈａｓｅ−ｌｏｃｋｅｄ  ｌｏｏｐ、ＰＬＬ）（第２の設定手段）
３２１  プロセッサユニット（生成手段）
３２３  クロック設定ユニット（第１の設定手段）
３５１  Ｒｘ高速シリアルデバイス（第２の変換手段）
【図１】
2009055566.tif 000003
【図２】
2009055566.tif 000004
【図３】
2009055566.tif 000005
【図４】
2009055566.tif 000006
【図５】
2009055566.tif 000007
【図６】
2009055566.tif 000008